(57)【要約】【課題】複数の関連する印刷物の束ねに関する指示にかかる依頼者の負担を軽減し、指示の正確性を向上することが可能なサーバ及び印刷物管理システムを提供する。【解決手段】複数の関連する封入物を組みとして、この複数の封入物の封入を製作者に依頼する依頼者に、印刷物にかかる情報を提供するサーバ１０であって、関連する複数の封入物の組み合せを示す組み合わせ情報を、組み合わせごとに記憶する組み合せ情報ＤＢ１７と、依頼者側端末２０からの要求に応じて、組み合わせ情報ＤＢ１７に記憶されている組み合わせ情報を依頼者側端末２０に送信する制御部１１及び通信部１２と、依頼者側端末２０からの要求に応じて、組み合せ情報ＤＢ１７の組み合わせ情報の書き換えを行う制御部１１と、書き換えを行った場合に、その旨を示す変更通知を、製作者側端末３０に送信する制御部１１及び通信部とを備える。【選択図】図２
2006235676.tif 000002
【特許請求の範囲】
【請求項１】
複数の関連する印刷物を組みとして、この複数の印刷物の束ねを被依頼者に依頼する依頼者に、前記印刷物にかかる情報を提供するサーバであって、
前記組みに含まれる複数の印刷物の組み合せを示す組み合わせ情報を、前記組みを識別するための組み識別情報に関連づけて前記組みごとに記憶する組み合せ情報記憶手段と、
依頼者側の端末からの要求に応じて、前記組み合わせ情報記憶手段に記憶されている組み合わせ情報を前記依頼者側の端末に送信する組み合わせ情報送信手段と、
依頼者側の端末からの要求に応じて、前記組み合せ情報記憶手段への組み合わせ情報の書き込み、又は、前記組み合わせ情報記憶手段に記憶されている組み合せ情報の書き換えを行う組み合わせ情報書き換え手段とを備えること
を特徴とするサーバ。
【請求項２】
請求項１に記載のサーバにおいて、
前記組み合わせ情報書き換え手段が組み合わせ情報の書き込み、又は、書き換えを行う場合に、その旨を示す変更通知を、被依頼者側の端末に送信する変更通知送信手段を備えること
を特徴とするサーバ。
【請求項３】
請求項１又は請求項２に記載のサーバにおいて、
前記複数の関連する印刷物は、同封される複数の印刷物、又は、カード使用者にまとめて提供されるカード関連印刷物であること
を特徴とするサーバ。
【請求項４】
請求項１から請求項３までのいずれか１項に記載のサーバにおいて、
前記各印刷物の表面及び／又は裏面の画像情報を記憶する画像情報記憶手段と、
依頼者側の端末からの要求に応じて前記画像情報記憶手段に記憶されている画像情報を前記依頼者側の端末へ送信する画像情報送信手段とを備えること
を特徴とするサーバ。
【請求項５】
請求項４に記載のサーバにおいて、
前記画像情報記憶手段は、前記印刷物に印字されている識別符号と、前記印刷物の画像情報とを関連づけて記憶し、
前記画像情報送信手段は、依頼者側の端末からの要求に応じて、前記印刷物の画像情報と、この画像情報に関連づけられている前記識別符号とを前記依頼者側の端末へ送信すること
を特徴とするサーバ。
【請求項６】
請求項１から請求項５までのいずれか１項に記載のサーバにおいて、
前記各印刷物の在庫情報を記憶する在庫情報記憶手段と、
依頼者側の端末からの要求に応じて、前記在庫情報記憶手段に記憶されている在庫情報を前記依頼者側の端末へ送信する在庫情報送信手段とを備えること
を特徴とするサーバ。
【請求項７】
請求項１から請求項６までのいずれか１項に記載のサーバと、依頼者側の端末とを備え、印刷物の束ねを管理する印刷物管理システムであって、
前記依頼者側の端末は、変更の対象となる印刷物の識別情報を入力する変更対象印刷物識別情報入力手段を含み、依頼者から変更指示を入力する変更指示入力手段と、前記変更指示入力手段によって入力された変更指示に応じた処理の実行を前記サーバに対して要求する処理要求手段とを有し、
前記サーバの組み合わせ情報書き換え手段は、前記依頼者側の端末の処理要求手段からの要求に応じて、前記組み合わせ情報記憶手段に記憶されている、前記変更対象印刷物識別情報入力手段が入力した識別情報が示す印刷物が含まれる一又は複数の組みについて、組み合わせ情報の書き込み、又は、書き換えを行うこと
を特徴とする印刷物管理システム。
【請求項８】
請求項７に記載の印刷物管理システムにおいて、
前記依頼者側の端末は、前記変更対象印刷物識別情報入力手段によって入力された識別情報が示す印刷物を含む組みについての組み識別情報の提供を前記サーバに要求する組み識別情報提供要求手段を有し、
前記サーバは、前記組み識別情報提供要求手段からの要求に応じて、前記変更対象印刷物識別情報入力手段によって入力された識別情報が示す印刷物を含む組みについての組み識別情報を前記組み合わせ情報記憶手段から読み出す組み識別情報読み出し手段と、前記組み識別情報読み出し手段によって読み出された組み識別情報を前記依頼者側の端末へ送信する組み識別情報送信手段とを有し、
前記依頼者側の端末は、前記サーバから送信される組み識別情報を受信する組み識別情報受信手段と、前記組み識別情報受信手段によって受信される組み識別情報を表示し、変更の対象となる一又は複数の組みの選択を依頼者に要求する組み選択要求手段とを有し、
前記依頼者側の端末の変更指示入力手段は、前記組み選択要求手段の要求に応じて依頼者が選択した組みを示す選択情報を入力する選択情報入力手段を有し、
前記サーバの組み合わせ情報書き換え手段は、前記依頼者側の端末の処理要求手段からの要求に応じて、前記組み合わせ情報記憶手段に記憶されている、前記選択情報入力手段によって入力された選択情報が示す一又は複数の組みについて、前記要求に従って組み合わせ情報の書き込み、又は、書き換えを行うこと
を特徴とする印刷物管理システム。
【発明の詳細な説明】
【技術分野】
【０００１】
本発明は、複数の関連する印刷物を組みとして、この複数の印刷物の束ねを被依頼者に依頼する依頼者に、前記印刷物にかかる情報を提供するサーバ、及び、このサーバと、依頼者側の端末とを備える印刷物管理システムに関する。
【背景技術】
【０００２】
従来、銀行、クレジット会社などのカード発行者（イシュア）は、印刷会社などのカードメーカに対して、カードと、マニュアル、しおり、パンフレットなど、カードと同封してカード会員に提供される封入物について、製作、封入、送付を依頼している。以下、カードメーカに対してカードの製作などを依頼するカード発行者などを依頼者という。
【０００３】
図１１は、カード及び封入物の製作から送付までの流れを示す図である。
図１１に示すように、依頼者は、カード送付までにかかるリードタイムを短縮するため、数ヶ月単位でカード需要を予測し、生カードの製造をカードメーカに対して予め発注する（＃１０）。カードメーカは、発注に応じて生カードを製造し（＃２０）、在庫として保管する（＃３０）。また、依頼者は、同様に、封入物を数ヶ月単位の予測需要に基づいて発注する（＃４０）。カードメーカは、発注に応じて封入物を印刷し（＃５０）、在庫として保存する（＃６０）。
依頼者は、新たにカード会員の申込を受けた場合など、必要に応じてカードメーカにカード会員の個別情報などの発券情報を提供してカード発行、封入、送付を指示し（＃７０）、カードメーカは、指示に従って、在庫の生カードに発券情報を書き込み、カード使用者名、カード番号などをカード表面に印字、打刻するなどし、カードを発行する（＃８０）。カードメーカは、発行したカードと、依頼者の指示に応じた所定の組み合わせの封入物とを封書に封入し（＃８０）、カード会員へ送付する（＃９０）。
また、依頼者は、カードメーカから定期的にＦＡＸなどで生カード、封入物の在庫量の報告を受け（＃１００）、この在庫量、予測需要量に基づいて追加発注を行う（＃１０）。
なお、所定の組合せの帳票の封入作業における効率及び精度を向上させ、誤封入を防止することが可能な個別帳票確認システムがある（例えば、特許文献１参照。）。
【特許文献１】特開２００３−２６３５５１号
【発明の開示】
【発明が解決しようとする課題】
【０００４】
しかし、依頼者は、一の封入物を廃止するなど、同封する封入物の組み合わせを変更する場合には、組み合わせの識別符号や名称で指定するとともに、変更の対象となる封入物を封入物の識別符号や名称で指定して製作者に指示しなければならず、誤った指示を行うおそれがあった。また、正確に変更の対象となる封入物を指定するには、依頼者が封入物に印字されている項番などの識別符号を確認しなければならず、変更指示に負担が掛かるという問題があった。
一方、特許文献１の発明は、封入作業における効率及び精度を向上させる個別帳票確認システムであって、上記問題を解決するものではない。
【０００５】
本発明の課題は、複数の関連する印刷物の束ねに関する指示にかかる依頼者の負担を軽減し、指示の正確性を向上することが可能なサーバ及び印刷物管理システムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。すなわち、請求項１の発明は、複数の関連する印刷物を組みとして、この複数の印刷物の束ねを被依頼者に依頼する依頼者に、前記印刷物にかかる情報を提供するサーバであって、前記組みに含まれる複数の印刷物の組み合せを示す組み合わせ情報を、前記組みを識別するための組み識別情報に関連づけて前記組みごとに記憶する組み合せ情報記憶手段（１７）と、依頼者側の端末（２０）からの要求に応じて、前記組み合わせ情報記憶手段に記憶されている組み合わせ情報を前記依頼者側の端末に送信する組み合わせ情報送信手段（１１，１２）と、依頼者側の端末（２０）からの要求に応じて、前記組み合せ情報記憶手段への組み合わせ情報の書き込み、又は、前記組み合わせ情報記憶手段に記憶されている組み合せ情報の書き換えを行う組み合わせ情報書き換え手段（１１）とを備えることを特徴とするサーバ（１０）である。
【０００７】
請求項２の発明は、請求項１に記載のサーバにおいて、前記組み合わせ情報書き換え手段が組み合わせ情報の書き込み、又は、書き換えを行う場合に、その旨を示す変更通知を、被依頼者側の端末（３０）に送信する変更通知送信手段（１１，１２）を備えることを特徴とするサーバ（１０）である。
【０００８】
請求項３の発明は、請求項１又は請求項２に記載のサーバにおいて、前記複数の関連する印刷物は、同封される複数の印刷物、又は、カード使用者にまとめて提供されるカード関連印刷物であることを特徴とするサーバ（１０）である。
【０００９】
請求項４の発明は、請求項１から請求項３までのいずれか１項に記載のサーバにおいて、前記各印刷物の表面及び／又は裏面の画像情報を記憶する画像情報記憶手段（１６）と、依頼者側の端末（２０）からの要求に応じて前記画像情報記憶手段に記憶されている画像情報を前記依頼者側の端末へ送信する画像情報送信手段（１１，１２）とを備えることを特徴とするサーバ（１０）である。
【００１０】
請求項５の発明は、請求項４に記載のサーバにおいて、前記画像情報記憶手段は、前記印刷物に印字されている識別符号と、前記印刷物の画像情報とを関連づけて記憶し、前記画像情報送信手段は、依頼者側の端末（２０）からの要求に応じて、前記印刷物の画像情報と、この画像情報に関連づけられている前記識別符号とを前記依頼者側の端末へ送信することを特徴とするサーバ（１０）である。
【００１１】
請求項６の発明は、請求項１から請求項５までのいずれか１項に記載のサーバにおいて、前記各印刷物の在庫情報を記憶する在庫情報記憶手段（１４）と、依頼者側の端末（２０）からの要求に応じて、前記在庫情報記憶手段に記憶されている在庫情報を前記依頼者側の端末へ送信する在庫情報送信手段（１１，１２）とを備えることを特徴とするサーバ（１０）である。
【００１２】
請求項７の発明は、請求項１から請求項６までのいずれか１項に記載のサーバ（１０）と、依頼者側の端末（２０）とを備え、印刷物の束ねを管理する印刷物管理システムであって、前記依頼者側の端末は、変更の対象となる印刷物の識別情報を入力する変更対象印刷物識別情報入力手段を含み、依頼者から変更指示を入力する変更指示入力手段（２５）と、前記変更指示入力手段によって入力された変更指示に応じた処理の実行を前記サーバに対して要求する処理要求手段（２１，２２）とを有し、前記サーバの組み合わせ情報書き換え手段は、前記依頼者側の端末の処理要求手段からの要求に応じて、前記組み合わせ情報記憶手段に記憶されている、前記変更対象印刷物識別情報入力手段が入力した識別情報が示す印刷物が含まれる一又は複数の組みについて、組み合わせ情報の書き込み、又は、書き換えを行うことを特徴とする印刷物管理システム（１）である。
【００１３】
請求項８の発明は、請求項７に記載の印刷物管理システムにおいて、前記依頼者側の端末は、前記変更対象印刷物識別情報入力手段によって入力された識別情報が示す印刷物を含む組みについての組み識別情報の提供を前記サーバに要求する組み識別情報提供要求手段（２１，２２）を有し、前記サーバは、前記組み識別情報提供要求手段からの要求に応じて、前記変更対象印刷物識別情報入力手段によって入力された識別情報が示す印刷物を含む組みについての組み識別情報を前記組み合わせ情報記憶手段から読み出す組み識別情報読み出し手段（１１）と、前記組み識別情報読み出し手段によって読み出された組み識別情報を前記依頼者側の端末へ送信する組み識別情報送信手段（１１，１２）とを有し、前記依頼者側の端末は、前記サーバから送信される組み識別情報を受信する組み識別情報受信手段（２１，２２）と、前記組み識別情報受信手段によって受信される組み識別情報を表示し、変更の対象となる一又は複数の組みの選択を依頼者に要求する組み選択要求手段（２１，２４）とを有し、前記依頼者側の端末の変更指示入力手段は、前記組み選択要求手段の要求に応じて依頼者が選択した組みを示す選択情報を入力する選択情報入力手段（２５）を有し、前記サーバの組み合わせ情報書き換え手段は、前記依頼者側の端末の処理要求手段からの要求に応じて、前記組み合わせ情報記憶手段に記憶されている、前記選択情報入力手段によって入力された選択情報が示す一又は複数の組みについて、前記要求に従って組み合わせ情報の書き込み、又は、書き換えを行うことを特徴とする印刷物管理システム（１）である。
【発明の効果】
【００１４】
本発明によるサーバ又は印刷物管理システムによれば、以下の効果を得ることが可能となる。
（１）同封される複数の印刷物、カード使用者にまとめて提供されるカード関連印刷物など、複数の関連する印刷物の組みについての組み合わせを示す組み合わせ情報を、要求に応じて依頼者側の端末に送信することによって、有益な情報を依頼者が必要なときに即時に提供することができ、依頼者の利便性を向上することが可能となるとともに、指示の正確性を向上することが可能となる。また、依頼者側の端末からの要求に応じて、組み合わせ情報の書き込み、書き換えを行うことによって、依頼者が何時でも束ねの対象となる印刷物の組み合わせの変更指示を容易に行うことができるとともに、依頼者の指示の正確性を向上することが可能となる。
（２）組み合わせ情報の書き込み、又は、書き換えを行う場合に、その旨を示す変更通知を在庫管理者側の端末へ送信することによって、依頼者が何時でも組み合わせの変更指示を被依頼者に対して容易に行うことができるとともに、指示を即時に在庫管理者に通知することが可能となる。
（３）要求に応じて、印刷物の表面及び／又は裏面の画像情報を依頼者側の端末へ送信することによって、依頼者は、組み合わせの変更指示、組み合わせの確認を行う場合に、印刷物の表面及び／又は裏面の画像を見て封入物を正確かつ容易に認識することができ、印刷物の誤認を防止し、依頼者の指示の正確性を向上することが可能となる。また、印刷物の現物を見なくても、正確に印刷物を認識することができ、作業負担を軽減することが可能となる。更に、印刷物が複数の頁を有する場合に全ての頁の画像を依頼者側の端末に送信するときと比べて、送信するデータ量を抑制することができ、処理の迅速化を図ることが可能となる。更にまた、表面、裏面の画像は、他の頁の画像に比べて取り込むことが容易であり、作業負担を軽減することが可能である。
（４）要求に応じて、印刷物の画像情報と、この印刷物に印字されている識別符号とを依頼者側の端末に送信することによって、印刷物の画像情報から印刷物を認識することができない場合であっても、識別符号から確実に印刷物を認識することが可能となる。
（５）要求に応じて、在庫情報を依頼者側の端末へ送信することによって、依頼者に有益な情報を提供し、依頼者の利便性を向上することが可能となる。また、組み合わせ情報など他の情報とともに依頼者側の端末へ送信することによって、在庫情報と組み合わせ情報とを関連させた有益な情報を依頼者が必要なときに即時に提供し、一層利便性を向上することが可能となる。
（６）サーバが、依頼者の変更指示における変更の対象となる印刷物を含む一又は複数の組みについて、組み合わせ情報の書き込み、書き換えを行うことによって、依頼者が変更の対象となる印刷物を指定し、組みを指定せずとも、組み合わせを変更することができ、依頼者の利便性を向上することが可能となる。特に、依頼者が変更の対象となる印刷物を指定し、この印刷物を含む全ての組みについての組み合わせを変更することが可能となる。
（７）また、変更の対象となる印刷物を含む組みを示す組み識別情報を表示して変更の対象となる組みの選択を依頼者に要求し、選択された組みについて、組み合わせ情報の書き込み、書き換えを行うことによって、依頼者は、変更の対象となる印刷物を指定してから、変更の対象となる組みを組み識別情報を見ながら選択することができ、利用者の利便性を一層向上することが可能となる。
【発明を実施するための最良の形態】
【００１５】
本発明は、複数の関連する印刷物の束ねに関する指示にかかる依頼者の負担を軽減し、指示の正確性を向上するという目的を、複数の関連する印刷物を組みとして、この複数の印刷物の束ねを被依頼者に依頼する依頼者に、印刷物にかかる情報を提供するサーバであって、組みに含まれる複数の印刷物の組み合せを示す組み合わせ情報を、組みを識別するための組み識別情報に関連づけて組みごとに記憶する組み合せ情報記憶部と、依頼者側の端末からの要求に応じて、組み合わせ情報記憶部に記憶されている組み合わせ情報を依頼者側の端末に送信する組み合わせ情報送信部と、依頼者側の端末からの要求に応じて、組み合せ情報記憶部への組み合わせ情報の書き込み、又は、組み合わせ情報記憶部に記憶されている組み合せ情報の書き換えを行う組み合わせ情報書き換え部と、組み合わせ情報書き換え部が組み合わせ情報の書き込み、又は、書き換えを行う場合に、その旨を示す変更通知を、在庫管理者側の端末に送信する変更通知送信部と、各印刷物の表面及び／又は裏面の画像情報を記憶する画像情報記憶部と、依頼者側の端末からの要求に応じて画像情報記憶手段に記憶されている画像情報を依頼者側の端末へ送信する画像情報送信部とを備えることを特徴とすることによって実現する。
【実施例】
【００１６】
以下、図面などを参照して、本発明の実施例をあげて、さらに詳しく説明する。
図１は、本発明によるサーバ及び印刷物管理システムの実施例における概略構成を示す図である。
図１に示すように、印刷物管理システム１は、複数の各依頼者が使用する端末である依頼者側端末２０Ａ，２０Ｂと、製作者の工場などに設けられ、複数の各製作者が使用する製作者側端末３０Ａ，３０Ｂと、情報管理センタなどに設けられ、依頼者側端末２０Ａ，２０Ｂ及び製作者側端末３０Ａ，３０Ｂへ情報を提供し、印刷物管理システム１全体の管理を行うサーバ１０などを備えている。
依頼者は、生カードの製造、封入物の印刷など、カード関連印刷物の製作、カード関連印刷物の封入、送付を製作者に依頼する。製作者は、依頼者からの発注に応じてカード関連印刷物を製作して保管し、依頼者からの発券指示、送付指示に応じてカード発行、封入、送付作業を行う（図１１参照。）。なお、カード関連印刷物とは、カード、台紙、カードマニュアル、会員規約など、カードと関連する印刷物である。
印刷物管理システム１は、依頼者に素材マスタ情報、在庫情報、組み合わせ情報などの印刷物にかかる情報を提供し、カード関連印刷物の発注から送付までを管理するシステムである。
【００１７】
図２は、本発明によるサーバ及び印刷物管理システムの実施例における構成を示すブロック図である。
なお、図１における各依頼者側端末２０Ａ，２０Ｂのそれぞれの機能は、多少なりとも相違するが、本発明に関しては同様の機能を備えているため、以下まとめて依頼者側端末２０として説明する。製作者側端末３０Ａ，３０Ｂについても同様であり、まとめて製作者側端末３０として説明する。なお、印刷物管理システム１が備える依頼者側端末２０、製作者側端末３０の数は限定されない。より多くの発注者及び製作者間における情報のやり取りを媒介することによって、設備コストを低減するなど、効率化を図ることが可能となる。
図２に示すように、製作者側端末３０及びサーバ１０間、依頼者側端末２０及びサーバ１０間は、電話回線、光ケーブルその他の有線、又は、赤外線その他の無線の通信回線４０を介して接続され、通信を行うことが可能である。通信回線４０は、セキュリティ上、専用回線、送受信する情報の暗号化などによって一定のレベル以上のセキュリティを保証することが望ましい。
【００１８】
サーバ１０は、ＣＰＵ、記憶装置、入出力装置、通信装置などを備えるサーバコンピュータに所定のプログラムを搭載することによって実現される。サーバ１０は、制御部１１と、制御部１１に接続されている通信部１２、記憶部１３、在庫情報データベース１４（以下、「データベース」を「ＤＢ」という。）、発注指示情報ＤＢ１５、素材マスタ情報ＤＢ１６、組み合わせ情報ＤＢ１７、利用者情報ＤＢ１８などとを備えている。サーバ１０は、依頼者側端末２０、製作者側端末３０からのアクセスに対して、依頼者側端末２０、製作者側端末上で動作するＷｅｂブラウザで表示可能なＨＴＭＬ，ＸＭＬなどの記述言語で作成されたＷｅｂデータを提供する。
制御部１１は、ＣＰＵなどから構成され、ＣＰＵが記憶装置に記憶されているプログラムを実行することによって実現され、サーバ１０を統括制御し、各ＤＢ１４〜１８へのデータの書き込み、読み出し、書き換えなどを行う。通信部１２は、通信回線４０を介した依頼者側端末２０、製作者側端末３０との通信を制御する。記憶部１３は、プログラム、データを記憶するメモリ、ハードディスクなどの記憶装置である。各ＤＢ１４〜１８は、ハードディスクなどの記憶装置などで構成され、それぞれ所定の情報を記憶し、管理している。
【００１９】
在庫情報ＤＢ１４は、在庫情報を記憶している。在庫情報は、各製作者が管理している生カード、封入物などのカード関連印刷物の在庫数量などの在庫に関する情報であって、保管中の在庫数量を示す保管在庫情報と、現在製作中の数量を示す製作中在庫情報とを含んでいる。保管在庫情報は、カード発行、廃棄などに応じて製作者側端末３０から入力され、サーバ１０に送信される在庫増減情報に応じて書き換えられる。また、製作中在庫情報は、依頼者側端末２０から入力され、サーバ１０に送信される発注指示情報（又は、製作者側端末３０から受信する受注確認情報。後述する図８参照。）、製作者側端末３０から入力され、サーバ１０に送信される生カード完成報告などに基づいて登録され、書き換えられる。
【００２０】
発注指示情報ＤＢ１５は、発注指示情報、発注履歴などを記憶している。発注指示情報は、製作対象となるカード、封入物などのカード関連印刷物の仕様（スペック）及び数量などを含む、各依頼者の各発注の内容を示す情報である。また、カードの追加発注や仕様変更を伴う発注についての発注指示情報には、例えば、パラメータ変更指示や、鍵変更指示や、ＩＣチップ切替指示などの指示情報が含まれている。サーバ１０は、発注指示情報を依頼者側端末２０から受信し、発注指示情報ＤＢ１５に依頼者ごとに格納するとともに、発注先の製作者の製作者側端末３０へ送信する（後述する図９参照。）。発注指示情報ＤＢ１５に登録された発注指示情報は、少なくとも発注の対象物が製作されるまで記憶され、その後発注実績の履歴情報として登録される。また、製作者側端末３０から受信する受注確認情報も発注履歴情報に含めて登録される。
【００２１】
素材マスタ情報ＤＢ１６は、発注、製作、保管の対象となるカード、封入物などのカード関連印刷物の仕様や形態を示し、一の封入物を識別、特定するための情報である素材マスタ情報を各封入物ごとに記憶している。カードの素材マスタ情報は、カード券面の画像データと、カード自体に刻印されている識別符号とを含んでいる。封入物の素材マスタ情報は、封入物の表紙の画像データ、封入物に印字されている項番の画像データ（テキストデータであってもよい。）、封入物名称、封入物コード、種類などを含んでいる。素材マスタ情報は、製作者が新規発注に応じて製作した新規のカード、封入物を用いて製作者側端末３０から入力され、サーバ１０に送信されて素材マスタ情報ＤＢ１６に依頼者ごと、製作者ごとに登録される。
【００２２】
組み合わせ情報ＤＢ１７は、カードに同封される封入物の組み合わせを示す組み合わせ情報を組み合わせごとに記憶している。組み合わせ情報は、各組み合わせを識別する組み合わせ名称、組み合わせコードに、組み合わせに含まれるカード、カード関連封入物の識別コードなどを関連づけた情報である。カード、カード関連封入物の組み合わせは、依頼者が新規の組み合わせの封入物の封入、送付を製作者に依頼する場合に、依頼者によって設定され、組み合わせ情報として依頼者側端末２０などから入力され、組み合わせ情報ＤＢ１７に登録される。
【００２３】
利用者情報ＤＢ１８は、依頼者、製作者などの印刷物管理システム１を利用する利用者の名称、ログイン名、ＩＤなどの登録認証情報など、利用者に関する情報である利用者情報を記憶している。利用者情報は、新規利用者登録の際にシステム管理者などによって登録される。
サーバ１０は、依頼者側端末２０、製作者側端末３０から送信される利用者情報に基づいて、各依頼者側端末２０、各製作者側端末３０がアクセス可能な情報を制限する。各ＤＢ１４〜１８には、依頼者ごと、製作者ごとに情報が登録されており、依頼者、製作者は、依頼者側端末２０、製作者側端末３０によって各ＤＢ１４〜１８へアクセスし、自身に関係する範囲で情報を閲覧することができる（後述する図３参照。）。
【００２４】
依頼者側端末２０及び製作者側端末３０は、ＣＰＵ、記憶装置、入出力装置、通信装置などを備えるコンピュータに所定のプログラムを搭載することによって実現される。
依頼者側端末２０は、制御部２１と、制御部２１に接続されている通信部２２、記憶部２３、表示部２４、入力部２５などとを備えている。制御部２１は、ＣＰＵなどから構成され、ＣＰＵが記憶部２３に記憶されているプログラムを実行することによって実現され、製作者側端末３０を統括制御する。通信部２２は、通信回線４０に接続し、サーバ１０との通信を実現するための通信インターフェイスである。記憶部２３は、オペレーティングシステム、Ｗｅｂブラウザなどのプログラム、データを記憶するメモリ、ハードディスクなどの記憶装置である。入力部２５は、使用者から依頼者側端末２０へ情報を伝達させるためのキーボード、マウスなど、使用者の操作に従って情報を外部から入力する入力装置である。表示部２５は、製作者側端末３０から使用者へ情報を伝達させるためのディスプレイなどの表示装置である。
【００２５】
製作者側端末３０は、制御部３１と、制御部３１に接続されている通信部３２、記憶部３３、表示部３４、入力部３５などとを備えている。入力部３５は、キーボード、マウスに加え、画像データを取り込むスキャナなどの画像データ入力装置を有している。他の各部は、依頼者側端末２０の各部と同様の機能を備えている。
依頼者側端末２０及び製作者側端末３０は、Ｗｅｂブラウザを実行することによって、通信回線４０を介してサーバ１０にアクセスし、Ｗｅｂデータを受信し、表示部２５，３５に表示することが可能である。また、依頼者側端末２０及び製作者側端末３０は、電子メールを通信回線４０を介してサーバ１０から送受信することが可能である。
【００２６】
図３は、本発明によるサーバ及び印刷物管理システムの実施例における動作を示すフローチャートであって、依頼者がサーバ１０に登録されている情報を閲覧するために行う処理を示している。また、図４は、依頼者が選択する画面上のボタン押下に応じた表示画面の切り替わりを示す図であって、図５〜図８は、依頼者側端末２０の表示部２４の表示画面を示す図である。以下、サーバ１０及び依頼者側端末２０の制御部１１，２１の処理を中心に説明する。
図３に示すように、依頼者は、依頼者側端末２０でＷｅｂブラウザを実行し、所定のＵＲＬを指定し、サーバ１０へアクセスする（Ｓ３１０）。サーバ１０は、依頼者側端末２０からのアクセスを検出し（Ｓ１１０）、初期画面用のＷｅｂデータを依頼者側端末２０へ送信する（Ｓ１２０）。依頼者側端末２０は、受信したＷｅｂデータに基づいて、ログイン名、依頼者ＩＤ入力を要求する初期画面を表示部２４に表示する（Ｓ３３０）。依頼者は、入力部２５を操作してログイン名、依頼者ＩＤを利用者ＩＤとして入力し、依頼者側端末２０は、入力したログイン名、依頼者ＩＤなどの認証情報をサーバ１０へ送信する（Ｓ３４０）。
【００２７】
サーバ１０は、認証情報を依頼者側端末２０から受信し、利用者情報ＤＢ１８に登録されている登録認証情報に基づいて、利用者を認証する（Ｓ１３０）。なお、認証できない場合には、初期画面データを再び依頼者側端末２０へ送信して、再度、認証情報の入力を要求する初期画面を表示する（Ｓ３３０）などの処理を行う。
サーバ１０は、依頼者用のメイン画面のＷｅｂデータを依頼者側端末２０へ送信する（Ｓ１４０）。依頼者側端末２０は、メイン画面用のＷｅｂデータを受信し（Ｓ３５０）、表示部２４に表示し（Ｓ３６０、図４のＤ１０）、依頼者に指示の入力を促す。ここで、画面Ｄ１０の「組み合わせ一覧」のボタンＤ１０ａがクリックされ、組み合わせ一覧画面表示の指示が入力された場合には、依頼者側端末２０は、この指示に対応する処理の実行をサーバ１０に対して要求する（Ｓ３７０）。
【００２８】
サーバ１０は、この指示を受信し（Ｓ１５０）、Ｓ１３０で受信した依頼者ＩＤをキーに、この依頼者に関係する組み合わせ情報を組み合わせ情報ＤＢ１７から読み出し（Ｓ１６０，Ｓ１７０）、組み合わせ一覧画面のＷｅｂデータを生成し（Ｓ１８０）、依頼者側端末２０へ送信する（Ｓ２００）。依頼者側端末２０は、受信したＷｅｂデータに基づいて組み合わせ一覧画面へ表示を切り替える（Ｓ３８０，Ｓ３９０、図４のＤ３０、図５（ａ））。図５（ａ）に示すように、組み合わせ一覧画面は、依頼者が製作者に封入、送付を依頼している全ての組み合わせを、組み合わせコード、組み合わせ名称、期間などで示している。
以下、サーバ１０、依頼者側端末２０は、ログアウトするなど、終了まで同様の処理を繰り返す（Ｓ１５０〜Ｓ２１０、Ｓ４００、Ｓ３７０〜Ｓ４００）。
【００２９】
例えば、図５（ａ）の組み合わせ一覧画面において、依頼者が組み合わせコードＤ３０ａにマウスカーソルＭＣを合わせてクリックした場合には、依頼者側端末２０は、この指示に対応する処理の実行をサーバ１０に対して要求する（Ｓ４１０，Ｓ３７０）。サーバ１０は、要求を受信し（Ｓ２１０，Ｓ１５０）、依頼者ＩＤ、クリックされた組み合わせコードなどをキーに、組み合わせ情報ＤＢ１７から組み合わせ情報を読み出し、組み合わせ情報に含まれる封入物コードをキーに、封入物の素材マスタ情報を素材マスタ情報ＤＢ１６から読み出す（Ｓ１６０，Ｓ１７０）。サーバ１０は、読み出した情報を含む、組み合わせ詳細画面のＷｅｂデータを生成し（Ｓ１９０）、依頼者側端末２０へ送信する（Ｓ１９０）。依頼者側端末２０は、Ｗｅｂデータを受信し（Ｓ３８０）、クリックされた組み合わせに含まれる封入物の名称、封入物コード、種類、使用期間などを表示する組み合わせ詳細画面へ表示を切り替える（Ｓ３９０、図４のＤ４０、図５（ｂ））。
【００３０】
また、図５（ｂ）の組み合わせ詳細画面において、封入物コードＤ４０ａがクリックされた場合には、サーバ１０によって素材マスタ情報ＤＢ１６から読み出された封入物の表紙画像Ｄ５０ｂ及び項番の拡大画像Ｄ５０ｃを含む封入物詳細画面を別画面で表示する（図４のＤ５０、図６）。依頼者は、組み合わせ詳細画面、封入物詳細画面に基づいて、組み合わせの確認、封入の依頼、封入物の差し替え指示などを行う。また、依頼者は、封入物詳細画面で封入物を確認し、発注など、この封入物を対象とした指示を製作者に対して行う。
依頼者側端末２０は、封入物一覧画面（図４のＤ２０）において封入物コードＤ２０ａがクリックされた場合など、他の画面上で封入物コードがクリックされた場合にも、同様に封入物詳細画面Ｄ５０を別画面で表示する。
【００３１】
一方、図４に示すように、封入物一覧画面Ｄ２０、組み合わせ一覧画面Ｄ３０又は組み合わせ詳細画面Ｄ４０において「変更指示画面」のボタンＤ２０ｂ，Ｄ３０ｃ，Ｄ４０ｂがクリックされ、変更指示画面への表示切り替えの指示を入力した場合には、依頼者側端末２０は、変更指示画面Ｄ６０を表示する。変更指示画面Ｄ６０は、組み合わせに含まれている封入物を変更する場合に、依頼者が閲覧する画面であって、依頼者に封入物の変更を一括で行うのか個別で行うかの選択を要求する。一括変更指示とは、変更対象となる一の封入物を指定し、この封入物を含む複数の組み合わせの変更を一括で指示することであり、個別変更指示とは、変更対象となる組み合わせ及び封入物を指定し、組み合わせごとの組み合わせ変更を指示することである。依頼者側端末２０は、依頼者が変更指示画面Ｄ６０において、「一括変更画面」のボタンＤ６０ａをクリックした場合には、一括変更画面Ｄ７０へ表示を切り替え（図７）、「個別変更指示画面」のボタンＤ６０ｂをクリックした場合には、第１個別変更指示画面Ｄ８０へ表示を切り替える（図８（ａ））。
【００３２】
図７に示すように、一括変更指示画面Ｄ７０は、この依頼者が封入などを製作者に依頼している全ての組み合わせの組み合わせコード、組み合わせ名称などの組み合わせ情報を表示し、依頼者側端末２０を操作する依頼者に変更内容の設定を要求する。依頼者は、封入物コード、封入物名などの変更の対象となる封入物の識別情報（変更対象封入物識別情報）を入力ボックスへ入力し、廃止、追加などの変更指示内容をプルダウンメニューから選択し、変更実行日を入力ボックスへ入力するなど、入力部２５を操作して変更内容を設定する。
なお、依頼者が封入物コード又は封入物名のいずれかを入力ボックスへ入力し、「検索」ボタンＤ７０ｄをクリックした場合には、対応する封入物名又は封入物コードをサーバ１０へ問い合わせ、その欄へ自動的に記入する。依頼者が封入物コード又は封入物名のいずれかを記入し、「表示」ボタンＤ７０ａをクリックした場合には、依頼者側端末２０は、封入物詳細画面を表示する（図４のＤ５０、図６）。
【００３３】
変更内容の設定後に依頼者が「実行」ボタンＤ７０ｂをクリックした場合には、図３に示すように、依頼者側端末２０は、依頼者によって設定された変更内容の変更指示を入力し、処理要求をサーバ１０へ送信する（Ｓ３７０）。サーバ１０は、この指示を受信し（Ｓ１５０）、変更対象封入物識別情報をキーに組み合わせ情報ＤＢ１７を参照し、変更対象封入物識別情報が示す封入物を含む組み合わせの組み合わせ情報に、変更内容を書き込むとともに、製作者側端末３０に変更内容を含む変更通知を送信する（Ｓ１６０，Ｓ１９０）。サーバ１０は、処理終了後に変更完了通知画面のＷｅｂデータを依頼者側端末２０へ送信し（Ｓ２００）、依頼者側端末２０は、このＷｅｂデータを受信し（Ｓ３８０）、画面に表示する（Ｓ３９０、図４のＤ１００）。
一方、図４に示すように、一括変更画面Ｄ７０において、「個別変更指示画面」のボタンＤ７０ｃがクリックされた場合には、依頼者側端末２０は、第１個別変更指示画面Ｄ８０へ表示を切り替える。また、組み合わせコードＤ７０ｅがクリックされた場合には、依頼者側端末２０は、その組み合わせについての組み合わせ詳細画面Ｄ４０を別画面で表示する。第１個別変更指示画面Ｄ８０など、他の画面において組み合わせコードＤ８０ｃがクリックされた場合にも、依頼者側端末２０は、同様に組み合わせ詳細画面Ｄ４０を別画面で表示する。
【００３４】
図８（ａ）に示すように、第１個別変更指示画面Ｄ８０は、依頼者の全ての組み合わせの組み合わせコード、組み合わせ名称などの組み合わせ情報を表示し、依頼者に変更対象となる組み合わせの選択を要求する。依頼者は、変更対象の組み合わせの選択ボックスにマウスカーソルＭＣを合わせてクリックし、選択済マークを選択ボックスに印して選択を行う。なお、依頼者が「全て選択」ボタンＤ８０ｄをクリックした場合には、依頼者側端末２０は、全ての組み合わせの選択ボックスに選択済マークが自動的に記入される。
また、図４に示すように、第１個別変更指示画面Ｄ８０又は第２個別変更指示画面Ｄ９０において、「一括変更指示画面」ボタンＤ８０ｂ，Ｄ９０ｂがクリックされた場合には、依頼者側端末２０は、一括変更指示画面Ｄ７０を表示する。
第１個別変更指示画面Ｄ８０において、組み合わせの選択後に依頼者が「第２個別変更指示画面」ボタンＤ８０ａをクリックした場合には、依頼者側端末２０は、第２個別変更指示画面Ｄ９０を表示する。
【００３５】
図８（ｂ）に示すように、第２個別変更指示画面Ｄ９０は、第１個別変更指示画面Ｄ８０において選択された組み合わせに含まれる封入物の名称、封入物コード、種類などの素材マスタ情報を表示し、依頼者に変更内容の設定を要求する。依頼者は、変更対象となる封入物、変更実行日などを設定する。また、新たに組み合わせに封入物を追加する場合には、追加の対象となる封入物を封入物コード又は封入物名を入力ボックスに記入して指定する。
図４に示すように、第２個別変更指示画面Ｄ９０において、変更内容の設定後に依頼者が「実行」ボタンＤ９０ｃをクリックした場合には、依頼者側端末２０は、変更完了通知画面Ｄ１００を表示する。
【００３６】
なお、依頼者が封入物の在庫量を確認したい場合には、同様にメイン画面で在庫確認画面の表示を選択する（図示しない。）など、サーバ１０及び依頼者側端末２０は、同様に処理を行い、在庫情報ＤＢ１４から在庫情報を読み出し、封入物ごと、また、組み合わせごとに在庫情報を表示部２４に表示する。
【００３７】
図９は、本発明によるサーバ及び印刷物管理システムの動作を示すフローチャートであって、依頼者が製作者に対して発注をする場合に行う発注処理を示している。以下、サーバ１０、依頼者側端末２０及び製作者側端末３０の制御部１１，２１，３１の処理を中心に説明する。
図９に示すように、依頼者は、依頼者側端末２０でサーバ１０へアクセスし、発注用画面（図示しない）を表示部２４に表示する。依頼者は、入力部２５を操作し、画面に従って、発注対象となる封入物の指定、発注数量など、発注内容を設定し、発注指示情報を入力する（Ｓ５１０）。依頼者側端末２０は、入力した発注指示情報をサーバ１０へ送信する（Ｓ５２０）。
サーバ１０は、受信した発注指示情報を依頼者別、製作者別に在庫情報ＤＢ１４に登録する（Ｓ５３０）。また、サーバ１０は、電子メールなどで、製作者側端末３０へ発注指示情報を送信し（Ｓ５４０）、製作者側端末３０が発注指示情報を受信した旨を示す受注報告を受信し（Ｓ５５０）、処理を終了する。
【００３８】
このように、本実施例によれば、印刷物管理システム１は、依頼者の指示に従って、サーバ１０に記憶されている組み合わせ情報、在庫情報、素材マスタ情報を依頼者側端末２０に送信し、表示するため、依頼者が何時でも即時に有益な情報を容易に得ることができ、依頼者の利便性を向上するとともに、封入物、組み合わせの誤認を防止し、指示の正確性を向上することが可能となった。また、依頼者からの指示に応じて、組み合わせ情報、在庫情報及び素材マスタ情報をサーバ１０が読み出し、依頼者側の端末がこれらの情報を組み合わせて表示するため、より有益な情報を依頼者に提供し、依頼者の利便性を向上することが可能となった。
【００３９】
印刷物管理システム１は、依頼者の指示に応じて、組み合わせ情報ＤＢ１７に記憶されている組み合わせ情報の書き込み、書き換えを行うことによって、依頼者が容易に同封される封入物の組み合わせの変更指示を行うことができ、また、依頼者の指示の正確性を向上することが可能となった。
更に、サーバ１０は、組み合わせ情報の書き込みを行った場合に、その旨を示す変更通知を製作者側端末３０へ送信するため、依頼者が何時でも組み合わせの変更指示を行うことができるとともに、指示をすぐに製作者に通知することが可能となった。
【００４０】
印刷物管理システム１は、依頼者の指示に従って、封入物の表紙画像を依頼者側端末２０に表示するため、依頼者は、発注、封入物の差し替え指示、組み合わせの確認を行う場合などにおいて、封入物の表紙画像を見て封入物を正確に認識することができ、誤認を防止することが可能となった。また、封入物の現物を見なくても、正確に封入物を認識することができ、作業負担を軽減することが可能となった。更に、封入物の全ての頁の画像を表示する場合に比べて、処理対象となるデータ量を抑制することができ、処理の迅速化を図ることが可能となる。更にまた、封入物の表紙画像は、他の頁の画像に比べて取り込むことが容易である。また、表紙画像及び項番を依頼者側端末２０に表示するため、表紙画像から封入物を認識することができない場合であっても、項番から確実に封入物を認識することが可能となった。
【００４１】
サーバ１０は、一括変更指示画面Ｄ７０で変更の対象として指定された封入物を含む全ての組み合わせについて、組み合わせ情報ＤＢ１７に組み合わせ情報を書き込むため、依頼者が変更の対象となる封入物を指定し、組み合わせを指定しなくても、この封入物を含む全ての組み合わせを変更することができ、依頼者の利便性を向上することが可能となった。特に、多くの組み合わせに変更対象となる封入物が含まれる場合には、依頼者の作業負担を著しく低減することが可能となった。
また、印刷物管理システム１は、依頼者の指示に従って依頼者側端末２０が入力した発注指示情報を、サーバ１０を介して製作者側端末３０へ送信するため、在庫情報を確認しながら、短時間で効率的な発注処理を行うことが可能となった。
【００４２】
（変形例）
以上説明した実施例に限定されることなく、種々の変形や変更が可能であって、それらも本発明の均等の範囲内である。例えば、組み合わせ情報ＤＢ１７は、封入物の組み合わせを示す組み合わせ情報を記憶しているが、同封される封入物及びカードを含むカード関連印刷物の組み合わせを示す組み合わせ情報を組み合わせ情報ＤＢ１７に記憶していてもよい。同封される封入物及びカードは、同時に使用されるため、この組み合わせ情報と、在庫情報とを併せて依頼者に提供するなど、依頼者により有益な情報を提供することが可能となる。
【００４３】
サーバ１０、依頼者側端末２０、製作者側端末３０は、それぞれ１台のコンピュータで実現されていてもよく、複数のコンピュータで実現されていてもよい。例えば、製作者側端末３０は、ネットワークで接続されている複数のコンピュータを備え、カード製造、封入物製作などを管理する製作者の基幹系のシステムであって、印刷物管理システム１と連携していてもよい。サーバ１０及び依頼者側端末２０についても同様である。
【００４４】
印刷物管理システム１は、印刷物としてカードと同封される封入物を管理するが、これに限定されず、カード会員に定期的に送付される印刷物など、他の関連する複数の印刷物を管理してもよい。
素材マスタ情報ＤＢ１６は、封入物の裏表紙の画像を記憶していてもよい。依頼者が現物を認識できればいずれの表紙の画像を記憶していてもよい。素材マスタ情報ＤＢ１６は、依頼者が現物を認識しやすい方の画像を記憶していることが望ましい。
【００４５】
印刷物管理システム１は、組み合わせ情報を製作者側端末３０から入力し、組み合わせ情報ＤＢ１７に登録しているが、依頼者側端末２０から入力してもよく、サーバ１０の入力装置から入力してもよい。依頼者が封入を製作者に依頼する複数の封入物の組み合わせを示す組み合わせ情報を組み合わせＤＢ１７に登録することができれば、いずれの入力装置から組み合わせ情報を入力するかは限定されない。素材マスタ情報についても同様に、依頼者が製作を発注したカード関連印刷物の素材マスタ情報を素材マスタ情報ＤＢ１６に登録することができれば、いずれの入力装置から素材マスタ情報を入力するかは限定されない。
【００４６】
印刷物管理システム１は、一括変更指示画面Ｄ７０（図４及び図７参照。）の代わりに、図１０に示す一括変更指示画面Ｄ１１０を依頼者側端末２０の表示部２４に表示してもよい。
図１０（ａ）に示すように、一括変更指示画面Ｄ１１０は、依頼者側端末２０を操作する依頼者に変更内容の設定を要求する。依頼者は、封入物コード、封入物名などの変更の対象となる封入物の識別情報（変更対象封入物識別情報）を入力ボックスへ入力し、廃止、追加などの変更指示内容をプルダウンメニューから選択し、変更実行日を入力ボックスへ入力するなど、入力部２５を操作して変更内容を設定する。
【００４７】
変更内容の設定後に「参照」ボタンＤ１１０ａがクリックされた場合には、図１０（ｂ）の変更指示画面Ｄ１２０が表示部２４に表示される。変更指示画面Ｄ１２０は、変更指示画面Ｄ１１０の表示内容に加え、変更対象として指定された「台紙Ａ」を含む組み合わせの名称、コードを表示し、依頼者に変更対象となる組み合わせの選択を要求する。なお、組み合わせコードＤ１１０ｂがクリックされた場合には、組み合わせ詳細画面Ｄ４０（図４及び図５参照。）が別画面で表示部２４に表示される。
【００４８】
依頼者が変更対象となる組み合わせを一又は複数選択し、「実行」ボタンＤ１１０ｃをクリックした場合には、サーバ１０及び依頼者側端末２０は、一括変更指示画面Ｄ７０の「実行」ボタンＤ７０ｂがクリックされた場合と同様の処理を行う。
依頼者は、変更の対象となる封入物を指定してから、変更の対象となる一又は複数の組み合わせを組み合わせコード、名称、組み合わせ詳細画面Ｄ４０などを見ながら選択することができ、利用者の利便性を一層向上することが可能となる。
【図面の簡単な説明】
【００４９】
【図１】本発明によるサーバ及び印刷物管理システムの実施例における概略構成を示す図である。
【図２】本発明によるサーバ及び印刷物管理システムの実施例における構成を示すブロック図である。
【図３】本発明によるサーバ及び印刷物管理システムの実施例における動作を示すフローチャートである。
【図４】依頼者側端末２０の表示部２４の表示画面の切り替わりを示す図である。
【図５】依頼者側端末２０の表示部２４の表示画面を示す図である。
【図６】依頼者側端末２０の表示部２４の表示画面を示す図である。
【図７】依頼者側端末２０の表示部２４の表示画面を示す図である。
【図８】依頼者側端末２０の表示部２４の表示画面を示す図である。
【図９】本発明によるサーバ及び印刷物管理システムの実施例における動作を示すフローチャートである。
【図１０】依頼者側端末２０の表示部２４の表示画面の切り替わりを示す図である。（変形例）
【図１１】カード及び封入物の製作から送付までの流れを示す図である。
【符号の説明】
【００５０】
１  印刷物管理システム
１０  サーバ
２０  依頼者側端末
３０  製作者側端末
１１，２１，３１  制御部
１２，２２，３２  通信部
１３，２３，３３  記憶部
１４  在庫情報ＤＢ
１５  発注指示情報ＤＢ
１６  素材マスタ情報ＤＢ
１７  組み合わせ情報ＤＢ
１８  利用者情報ＤＢ
２４，３４  表示部
２５，３５  入力部
４０  通信回線
【図１】
2006235676.tif 000003
【図２】
2006235676.tif 000004
【図３】
2006235676.tif 000005
【図４】
2006235676.tif 000006
【図５】
2006235676.tif 000007
【図６】
2006235676.tif 000008
【図７】
2006235676.tif 000009
【図８】
2006235676.tif 000010
【図９】
2006235676.tif 000011
【図１０】
2006235676.tif 000012
【図１１】
2006235676.tif 000013